(57)【特許請求の範囲】
【請求項１】
製本の背の長手方向と略同一幅の製本テープロールをテープ繰出部に装着し、該製本テープロールより引き出される製本テープの引き出し方向に、複数のロール列を配列してなるテープ引き出し手段と、該テープ引き出し手段により引き出した製本テープを所定の幅に截断するカッター刃とを設けた製本テープ貼り装置において、前記ロール列の側部に面する本体の一部を着脱自在に形成し、該着脱自在な一部と他部との双方に亙って、前記ロール列の回転軸を支持する軸受け部を形成したことを特徴とする製本テープ貼り装置。
【請求項２】
前記カッター刃を製本テープの截断方向に移動可能なホルダの保持部材に上下動可能に弾性支持させ、該ホルダ保持部材におけるカッター刃の可動範囲の最上位置で、該カッター刃の先端部を収納可能とする長さに前記ホルダ保持部材の下端部を形成したことを特徴とする請求項１に記載の製本テープ貼り装置。
【発明の詳細な説明】
【０００１】
【産業上の利用分野】
本発明は、製本テープ貼り装置に装着された製本テープロールから、製本テープを引き出すテープ引き出し手段の支持構造と製本テープを截断するカッター刃の支持構造の改良に関する。
【０００２】
【従来の技術】
本発明者らは、すでに平成６年８月３０日付けで出願公開された特開平6-239055号公報のなかで、製本テープロールから製本テープを引き出し、必要な幅に截断して、束ねられた書類の背に製本テープを貼る装置（製本テープ貼り装置）の詳細を開示している。
【０００３】
その発明においては、製本テープ貼り装置は以下のような構造をなしており、図33には、上記出願済の製本テープ貼り装置１の要部を摸式図で示している。この図33は、製本テープ33をテープロール32から引き出して、必要な幅に截断し、製本（書類）５に截断された製本テープ33を貼りつける構造を示すもので、ここにおいて書類５の背に製本テープを擦り付けるように貼りつけるために、スライド式押え板18はストッパ21との間に製本テープの厚さに略等しい僅かな間隙をもって水平方向および上下方向に移動可能なように支持されている。押え板19はスライド式押え板18の水平移動量だけ間隙C1をあけた状態で上下動可能に設けられている。受け板20はスライド式押え板18および押え板19に対向した位置であって、スライド式押え板18および押え板19とは独立および連動して上下動可能に設けられており、ストッパ21との間では下貼り受け板22の長さ寸法に略等しい距離C2だけ離れた状態になっている。
【０００４】
ガイド板23の端部を垂直に折り曲げてテープ折曲圧着部24が形成されており、このテープ折曲圧着部24の圧着面とストッパ21のストッパ面とが同一平面内になるようにストッパ21がテープ折曲圧着部24の上方に設けられている。そして、下貼り受け板22はこのテープ折曲圧着部24に対して製本テープの厚さに略等しい僅かな間隙をもって設けられている。
【０００５】
テンションロール25、引っ張りロール26および剥離ロール27はテープロール32から引き出される製本テープ33の引き出し方向に順次設けられており、テープ引き出し手段37を形成している。テープロール32から引き出された製本テープ33は、テンションロール25においては粘着面を外側に向けて掛け回され、引っ張りロール26および剥離ロール27においては粘着面を内側にむけて掛け回される。また、引っ張りロール26と剥離ロール27の外周が互いに重なり合うように軸支されており、これら両ロール26および27の頂点（外周）を結ぶ接線が一定の角度αになるように傾斜している。そして、製本テープ33の巻き癖を除去するためにテープロール32はテンションロール25より下の位置にセットし、テンションロール25の位置は引き出される製本テープ33が引っ張りロール26の外周面に接触する長さができるだけ長くなるように配設され、少なくとも引っ張りロール26の外周下部よりも高い位置になるように配設する。剥離ロール27は例えばシリコン処理されており、外周面にテープが貼りつかないようにしている。
【０００６】
図34にも示すように回転式カッター刃29はホルダ30に取りつけられており、ホルダ30は摺動板36に設けられた軸35に矢印方向に移動可能に支持されており、書類５の厚さに応じて製本テープ33の切断位置が調整できるようになっている。そして、摺動板36はストッパ21と案内板34との間に摺動可能に支持されており、紙面に対して垂直方向に移動して製本テープ33を書類５の縦方向幅に切断できるようになっている。28はガイドロール、31は上貼りロールである。また、この回転式カッター刃29にはシリコンやテフロン等の滑剤による表面処理がなされており、粘着性のあるテープを切断しても回転式カッター刃29に粘着性物質が付着しないようにして、刃の切れ味を長期間持続させるようにしている。また、回転式カッター刃29は、ホルダ30と共に製本テープ貼り装置１から取りはずして、刃29を交換することができる。
【０００７】
図35は、この製本テープ貼り装置１を図33のテープ繰出部２方向から見たものである。ところで、製本テープ33の幅は例えばＡ４サイズの長手方向と略同一幅の帯状をなし、テープ繰出部２においてテープロール32は回動自在に装着されている。
【０００８】
前述のように、テープ引き出し手段37はテンションロール25、引っ張りロール26および剥離ロール27から形成されているが、このうちテンションロールは円柱状をなし本体３に固定されている。また、引っ張りロール26は回転軸４に、剥離ロール27は回転軸６によって支持され、各回転軸４、６は両端部を本体３に回動自在に支持されている。
【０００９】
【発明が解決しょうとする課題】
前述のように、テープロール32から引き出された製本テープ33は、テンションロール25においては粘着面を外側に向けて掛け回され、引っ張りロール26および剥離ロール27においては粘着面を内側にむけて掛け回されている。したがって、引っ張りロール26と剥離ロール27とには、繰り返しの使用のうちに製本テープ33から剥離した粘着剤が付着する。本体３には、テープ繰出部２およびテープ引き出し手段37は、図示しない開閉式のカバーで覆われているが、製本テープロール32の交換作業による開閉や、長時間の使用により引っ張りロール26と剥離ロール27とに付着した粘着剤に埃が積り、送り出される製本テープ33の粘着面を汚し、粘着力を落とすことがあった。
【００１０】
したがって、付着した粘着剤を拭き取ることが必要となるが、前述のように引っ張りロール26と剥離ロール27の外周が互いに重なり合うように軸支され、テンションロール25も引っ張りロール26に近接するように設けられているので、各部品間の隙間が少なく、十分に粘着剤を除去することが困難であった。また、各ロールの下に過って何かを落とした場合にもそれを取り出すことが容易ではなく、先端の細い棒等を僅かな隙間から押し込み、手探りで取り出すという作業を強いられていた。そのため、メンテナンス作業中に、過って指先を前記ロールの間に挟んでしまう恐れがあった。
【００１１】
また、図34、図35に示すように、回転式カッター刃（以下、単にカッター刃とも云う）29はホルダ30の下方において、カッター刃29の下方部分29a が露出している。したがって、カッター刃29の交換のために、製本テープ貼り装置１からホルダ30と共に取りはずす際に、この露出したカッター刃29の下方部分29a で、過って指先等を傷つけてしまう恐れもあった。
【００１２】
本発明は上記問題に鑑みてなされたものであり、その目的とするところは、汚れがたまり易い製本テープ貼り装置のテープ引き出し手段を容易に取りはずしできるようにすると共に、テープ引き出し手段により引き出された製本テープを截断するためのカッター刃を、該カッター刃を支持するホルダの保持部材より出没自在とし、かつ截断時以外はカッター刃を収納しておくことにより、メンテナンスが容易で安全性の高い製本テープ貼り装置を提供することにある。
【００１３】
【課題を解決するための手段】
上記課題を解決するための本発明に係る手段は、製本の背の長手方向と略同一幅の製本テープロールをテープ繰出部に装着し、該製本テープロールより引き出される製本テープの引き出し方向に、複数のロール列を配列してなるテープ引き出し手段と、該テープ引き出し手段により引き出した製本テープを所定の幅に截断するカッターとを設けた製本テープ貼り装置において、前記ロール列の側部に面する本体の一部を着脱自在に形成し、該着脱自在な一部と他部との双方に亙って、前記ロール列の回転軸を支持する軸受け部を形成したことを特徴とする。
【００１４】
本発明において、前記カッター刃を製本テープの截断方向に移動可能なホルダの保持部材に上下動可能に弾性支持させ、該ホルダ保持部材におけるカッター刃の可動範囲の最上位置で、該カッター刃の先端部を収納可能とする長さに前記ホルダ保持部材の下端部を形成することが望ましい。
【００１５】
【作用】
製本テープロールより引き出される製本テープの引き出し方向に、複数のロール列を配列してなるテープ引き出し手段を設けた製本テープ貼り装置の、本体の着脱自在な一部と他部との双方に亙って前記ロール列の回転軸を支持する軸受け部を形成することにより、二分割の軸受け部で回転軸を挟持する。また、前記着脱自在な一部分を本体より取りはずすことにより、軸受け部を２つに分離し、回転軸の挟持が解除される。
【００１６】
また、製本テープを所定の幅に截断するカッター刃を、ホルダの保持部材に上下動可能に弾性支持させ、該ホルダ保持部材におけるカッター刃の可動範囲の最上位置で、該カッター刃の先端部を収納可能とする長さに前記ホルダ保持部材の下端部を形成したことにより、該カッター刃はホルダ保持部材の下端部より出没自在となる。
【００１７】
【実施例】
以下、本発明の一実施例を添付図面に基づいて説明する。図中従来例と同一部分若しくは相当部分は同一符号で示し、詳しい説明は省略する。
【００１８】
図１は、本発明にかかる製本テープ貼り装置１を、テープ繰出部２方向から見た図である。テープ繰出部２の側面には、対向する凸状軸部７を設け、図示しない製本テープロール32の両端部を回動自在に挟持するものである。また、この凸状軸部７に挟持される製本テープロール32から引き出される製本テープ33の引き出し方向に順次、テンションロール25、引っ張りロール26および剥離ロール27が設けられ、テープ引き出し手段37を形成している。テンションロール25は、円柱状をなしている。また、引っ張りロール26と剥離ロール27とは、複数のロールを夫々回転軸４および６で軸支したロール列をなしている。
【００１９】
この引っ張りロール26および剥離ロール27の側部に面する本体３の一部（図中斜線で示した部位）８および９を着脱自在に形成する。この着脱自在な部位を以下の説明においては、ローラー取付けシャーシ８、９と称する。ここで、このローラー取付けシャーシ（以下、単にシャーシとも云う）８を、図２〜図４に示して説明する。なお、ローラー取付けシャーシ９はシャーシ８と対称形をなすので、詳しい説明は省略する。
【００２０】
図３は、ローラー取付けシャーシ８が本体３に固定された状態を示している。このシャーシ８と本体３との双方に亙って、引っ張りロール26および剥離ロール27の回転軸４および６と、テンションロール25とを支持するための、軸受け部1011および40を形成している。また、ボルト12で本体３に固定するための固定孔13を形成している。このシャーシ８は、ボルト12をはずすことにより本体３から取り去ることができるものである。また、図３のＡ点付近にヒンジを設けた場合には、該ヒンジを回転中心としてシャーシ７を回転させることにより、軸受け部10、11および40による回転軸４、６およびテンションロール25の挟持を解除することも可能である。
【００２１】
以上説明したように、本発明を実施することにより、以下のような作用効果を得ることができる。テープ引き出し手段である引っ張りロール26および剥離ロール27の回転軸４および６とテンションロール25とを、本体３とローラー取付けシャーシ８、９とに亙って形成された軸受け部10、11および40で挟持する。また、ボルト12をはずすことによりローラー取付けシャーシ８、９を容易に取りはずすことができるので、軸受け部10、11および40による回転軸４、６およびテンションロール25の挟持を解除することは容易である。すなわち、繰り返しの使用により汚れるテンションロール25、引っ張りロール26および剥離ロール27を取りはずすことができるので、メンテナンス時に、無理な体勢を強いられることもなく、誤って指先を挟む恐れを無くすことができる。
【００２２】
ところで、図１に示すように、製本テープ貼り装置１の上面には、後で説明するホルダ30が移動するレール41が設けられている。図５はレール41の側面を示す図であり、後で説明するホルダ30の摺動部材 36 が摺動移動する案内面 412が形成されており、この案内面 412の両端部に逃げ部 411が形成されている。そして、この逃げ部 411にホルダ30の軸 60 が嵌った状態で回転式カッター刃29がスプリングにより持ち上げられ、回転式カッター刃29はホルダ30内に完全に収納される。また、軸 60 が案内面 412にあるときには、この案内面 412により軸 60 が押し下げられて図７にも示すように回転式カッタ刃29が29′の位置に押し出されるようになっている。
【００２３】
ここで、回転式カッター刃について説明する。図６はレール41にガイドされているホルダ30の装着状態を側面より見た図であり、ホルダ30はストッパ21と案内板34に形成された案内面 412（図５参照）に案内されて移動するようになっている。ここでは、案内板34とストッパ21とが互いに向き合う面に溝型の案内面 412が形成されており、この案内面 412にはホルダ30の摺動板36が嵌合している。
【００２４】
この摺動板36には図27に示すように軸60が嵌め込まれる凹部 361が形成されており、この凹部 361に軸60が嵌合した状態で、案内面 412に案内されるようになっている。また、この軸60は後で説明するように回転式カッター刃29を軸支しているカッター刃ホルダ61を貫通し、このカッター刃ホルダ61を保持する保持部材62および63に開けられた長孔 621および 631を貫通している。
【００２５】
カッター刃ホルダ61は図10〜図13に示すように、両側にスプリング取付部 611が設けられ、上側には軸60が挿通される軸孔 612、下側に回転式カッター刃29を軸支するための軸孔 614およびカッター刃ホルダ61の上下方向の移動を案内するための案内突起 613が設けられている。さらに、カッター刃ホルダ61のスラスト方向のガタツキを防止するための突起 616が設けられており、後に説明する保持部材63のガイド 636に対して摺動自在に係合する。また、図10に示すように軸孔 614の周囲には、カッター刃29を軸支するボルトと螺合する六角ナットを納めるための、凹状の六角座 617を形成している。
【００２６】
次に、保持部材63について、図14〜図18に示して説明する。保持部材63のほぼ中央部には軸60（図６）が挿通される長孔 631が開けられている。また、回転式カッター刃29の上下方向の移動経路上に位置するように、シリコンなどを溜めるための凹部 635が設けられている。また、保持部材63の両側の対称位置には書類５の厚さに応じて回転式カッター刃29の位置を調整する調整軸65（図30）が挿通される調整孔 634が開けられており、この調整孔 634に接する縦方向に案内溝 632が設けられ、調整孔 634に近接した部分に逃げ部 633が形成されている。また、長孔 631の下方両側にはカッター刃ホルダ61のスラスト方向のガタツキを防止するための、前記カッター刃ホルダ61の突起 616と摺動自在に係合するガイド 636を設けている。また、保持部材63の頂部中央にはＵ字状の凹部 637が形成されている。保持部材63の下端部63a は、円弧状を描いて突出しており、軸60がスプリングにより持ち上げられることにより、回転式カッター刃29を完全に収納することを可能としている。また、長孔 631の下方には、カッター刃29を軸支するために、カッター刃ホルダ61上でボルトと螺合する六角ナットを避けるための逃げ孔 639を穿設している。図中 638は、ネジを通すネジ孔である。
【００２７】
次に、保持部材62は図19から図22に示すように、保持部材62のほぼ中央部には軸60（図６）が挿通される長孔 621が開けられており、また、保持部材62の両側の対称位置には書類５の厚さに応じて回転式カッター刃29の位置を調整する調整軸65（図30）が挿通される調整孔 624が開けられている。この調整孔 624に接する縦方向に案内溝 622が設けられ、調整孔 624に近接した部分に逃げ部 623が形成されている。また、長孔 621の両側にはカッター刃ホルダ61に設けた案内突起 613が嵌合して案内する案内溝 626が設けられている。保持部材62の頂部中央にはＵ字状の凹部 627が形成され、下部には回転式カッター刃29を軸支する軸が貫通する長孔 625が開けられている。 628はタップネジ穴である。さらに、回転式カッター刃29の上下方向の移動経路上に位置するように、シリコンなどを溜めるための凹部 629が設けられている。
【００２８】
次に、書類５の厚さに応じて回転式カッター刃29の位置をロックする調整ロック部材64は図23および図24に示すように、保持部材62および63に形成した案内溝 622および 632に嵌合される脚部 641を有する門形になっており、中央部には保持部材62および63に形成した凹部 627および 637に嵌合する頭部 644が形成されている。また、脚部 641の内側付け根部にスプリング取付部 643が設けられ、脚部 641の先端外側には図30に示す調整軸65の溝 651に嵌合する突起 642が設けられている。
【００２９】
次に、摺動板36は図25から図28に示すように、中央部側面に軸60が嵌め込まれる凹部 361が形成されており、摺動板36の両側には調整軸65（図30）の両端が嵌合される凹穴 362が設けられ、図29に示す調整軸65の両端に設けられたネジ穴 652に螺合するネジ孔 363が開けられている。そして、ネジの頭部が吐出しないように凹穴 364が設けられている。
【００３０】
図７は保持部材62を取り外した状態のホルダ30の組み立て構造を示すものである。図において、先ず保持部材63の案内溝 632に調整ロック部材64の脚部 641を嵌合し、次に、凹部 635にシリコンをしみ込ませた例えばスポンジを嵌め込んだ後に、カッター刃ホルダ61の突起 616を保持部材63に設けたガイド 636に嵌合し、カッター刃ホルダ61のスプリング取付部 611と調整ロック部材64のスプリング取付部 643に引っ張りバネ66を装着する。
【００３１】
次に、保持部材62の凹部 629にシリコンをしみ込ませたスポンジなどを嵌め込んだ後に、保持部材62をカッター刃ホルダ61側から被せ、カッター刃ホルダ61を保持部材62と63の間に挟むようにしてネジ孔 638とタップネジ穴 628とにネジを螺合し締結する。この状態で次に、調整ロック部材64の頭部 644を摘んで調整ロック部材64を引き上げて脚部 641の先端に設けた突起 642を逃げ部 633のところまで引き上げ、図８および図９に示すように、保持部材62および保持部材63の調整穴 624および 634に調整軸65を挿通し、保持部材62および保持部材63の長孔 621、 631およびカッター刃ホルダ61の軸穴 612に軸60を挿通する。
【００３２】
次に、軸60の端部を摺動板36の凹部 361に嵌合し、摺動板36の両端に設けた凹穴 362に調整軸65の端部を嵌合して調整軸65の端部に設けたネジ穴 652にネジを螺合して、調整軸65と摺動板36を締結することにより、ホルダ30が組み立てられる。図９に示すように、摺動板36の間は調整軸65の長さにより規制された間隔になっている。
【００３３】
図８および図19に示すように、保持部材62は回転式カッター刃29が露出する高さになっており、ホルダ30を組み立てた状態、または、ホルダ30を分解しない状態で、回転式カッター刃29を保持部材62とカッター刃ホルダ61との間の隙間に挿入し、ナット67にボルト68を螺合し、回転式カッター刃29の着脱が容易なようになっている。ところで、ナット67は、カッター刃ホルダ61の軸孔 614の周囲に設けられた六角座 617に納まり空回りを防止するので、ボルト68とナット67とを螺合する作業を容易にしている。
【００３４】
また、保持部材63の下端部63a は、図７および図８に示すように、回転式カッター刃29を完全に覆い隠す高さになっている。ところで、図５に示すように案内面 412の両端部に逃げ部 411が形成されており、ホルダ30の軸60がこの逃げ部 411に位置した時に、カッター刃ホルダ61は図７に示すように引っ張りバネ66により常時引き上げられる方向に弾性力が付与されているので、案内面 411による軸60の押し付け力が解除され、軸60が保持部材62および63の長孔 621および 631内を移動し、回転式カッター刃29がカッター刃ホルダ61と共に上昇する。よって、ホルダ30を製本テープ貼り装置１から取りはずした際には、回転式カッター刃29は保持部材63に隠れる。
【００３５】
すなわち、回転式カッター刃29の交換時等の、製本テープ貼り装置からホルダ30と共にカッター刃29を取り出す際に、指先が直接カッター刃に触れることをなくし、過ってカッター刃29により指先を傷つける等の事故を防止する。したがって、すでに説明したテープ引き出し手段37の着脱を容易にする構造と合わせて、メンテナンスが容易で安全な製本テープ貼り装置とすることができる。
【００３６】
ところで、前記のカッター刃29の交換の際には、ホルダ30を截断時における移動範囲（書類５の縦方向）よりもさらに外側に移動させて、図１に示すメンテナンスカバー14を開き、該メンテナンスカバー14により覆い隠された、図示しない開口部より交換を行う。この、メンテナンスカバー14について、図31および
図32に示して説明する。
【００３７】
メンテナンスカバー14は、製本テープ貼り装置１の外観部品であるので、その形状は、本体部３の側部となだらかにつながるように形成されており（図１参照）、鉛直部15の上部15a は水平方向に湾曲している。鉛直部15の下端には、本体部３と嵌合する固定爪16が設けられている。また、水平方向に湾曲した上部15a の端部には、やはり本体部３と嵌合する固定爪17が設けられている。また、外側側面には、取り外しの際に指をかけて前記固定爪16の係合を解除し、上方に持ち上げることを容易にする複数の細かい突起からなる滑り止め38を形成している。さらに、内側側面には、メンテナンスカバー14を取付けた際に、移動するホルダ30の移動限度を示すストッパー39を形成している。
【００３８】
以上説明したように、本発明を実施することにより、製本テープ33の截断を行う回転式カッター刃29の交換が容易となり、かつ、すでに説明したようにテープ引き出し手段37の取りはずしを容易に行い、回転式カッター刃29の取扱もより安全に行うことができるので、製本テープ貼り装置のメンテナンス性と安全性とが大きく向上する。
【００３９】
【発明の効果】
本発明はこのように構成したので、次のような効果を得ることができる。製本テープロールより引き出される製本テープの引き出し方向に、複数のロール列を配列してなるテープ引き出し手段を設けた製本テープ貼り装置の、本体の着脱自在な一部と他部との双方に亙って前記ロール列の回転軸を支持する軸受け部を形成することにより、二分割の軸受け部で回転軸を挟持しているので、ロール列を取りはずす必要があるときには、前記着脱自在な一部分を本体より取りはずすことにより、回転軸を挟持している軸受け部を２つに分離することができる。したがって、ロール列の取りはずしが非常に容易となり、従来非常に困難であったロール列に付着した粘着剤の除去が容易となる。また、各ロール下への落下物の除去も容易となるので、メンテナンスが容易となり、過って指先を挟み込むようなこともなくなる。
【００４０】
また、回転式カッター刃のホルダ保持部材の下端部よりカッターを出没自在とし、製本テープ貼り装置に装着して製本テープを截断する時以外には、カッター刃を収納しておくことにより、ホルダを装置から取りはずした時等、直接ホルダに触れる際に、指先がカッター刃に触れることがなくなるので、取扱の安全性が向上する。したがって、本発明を実施することにより、メンテナンスが容易で安全性の高い製本テープ貼り装置とすることができる。
【図面の簡単な説明】
【図１】本発明の一実施例を示す製本テープ貼り装置の摸式図である。
【図２】本発明に用いるローラー取付けシャーシの平面図である。
【図３】本発明に用いるローラー取付けシャーシと本体部との関係を示す側面図である。
【図４】本発明に用いるローラー取付けシャーシの下面図である。
【図５】図１におけるレールの側面を示す図である。
【図６】図１におけるホルダの取付け状態を示す図である。
【図７】図５におけるホルダの組み立て図である。
【図８】図７の縦断面図である。
【図９】図７の横断面図である。
【図１０】図７におけるカッター刃ホルダの正面図である。
【図１１】図10の左側面図である。
【図１２】図10の背面図である。
【図１３】図10の平面図である。
【図１４】図８の保持部材の正面図である。
【図１５】図14の右側面図である。
【図１６】図14の背面図である。
【図１７】図14の平面図である。
【図１８】図16のＢ−Ｂ線における断面図である。
【図１９】図７の保持部材の正面図である。
【図２０】図19の平面図である。
【図２１】図19の背面図である。
【図２２】図19の右側面図である。
【図２３】図７における調整ロック部材の正面図である。
【図２４】図23の側面図である。
【図２５】図７における摺動盤の正面図である。
【図２６】図25の平面図である。
【図２７】図25のＤ−Ｄ線における縦断面図である。
【図２８】図25のＥ−Ｅ線における縦断面図である。
【図２９】図７における調整軸の縦断面図である。
【図３０】図７における調整軸の正面図である。
【図３１】図１におけるメンテナンスカバーの側面図である。
【図３２】図31の矢視Ｆにおける図である。
【図３３】従来の製本テープ貼り装置の要部摸式図である。
【図３４】従来の製本テープ貼り装置における回転式カッター刃を示す正面図である。
【図３５】従来の製本テープ貼り装置を示す斜視図である。
【符号の説明】
１  製本テープ貼り装置
３  本体
４  回転軸
５  書類
６  回転軸
８  ローラー取付けシャーシ
９  ローラー取付けシャーシ
10  軸受け部
11  軸受け部
25  テンションロール
26  引っ張りロール
27  剥離ロール
29  回転式カッター刃
32  テープロール
33  製本テープ
37  テープ引き出し手段
61  カッター刃ホルダ
62  保持部材
63  保持部材
64  調整ロック部材
66  引っ張りバネ
【図１】
0003637456.tif 000002
【図２】
0003637456.tif 000003
【図３】
0003637456.tif 000004
【図４】
0003637456.tif 000005
【図５】
0003637456.tif 000006
【図６】
0003637456.tif 000007
【図７】
0003637456.tif 000008
【図８】
0003637456.tif 000009
【図９】
0003637456.tif 000010
【図１０】
0003637456.tif 000011
【図１１】
0003637456.tif 000012
【図１２】
0003637456.tif 000013
【図１３】
0003637456.tif 000014
【図１４】
0003637456.tif 000015
【図１５】
0003637456.tif 000016
【図１６】
0003637456.tif 000017
【図１７】
0003637456.tif 000018
【図１８】
0003637456.tif 000019
【図１９】
0003637456.tif 000020
【図２０】
0003637456.tif 000021
【図２１】
0003637456.tif 000022
【図２２】
0003637456.tif 000023
【図２３】
0003637456.tif 000024
【図２４】
0003637456.tif 000025
【図２５】
0003637456.tif 000026
【図２６】
0003637456.tif 000027
【図２７】
0003637456.tif 000028
【図２８】
0003637456.tif 000029
【図２９】
0003637456.tif 000030
【図３０】
0003637456.tif 000031
【図３１】
0003637456.tif 000032
【図３２】
0003637456.tif 000033
【図３３】
0003637456.tif 000034
【図３４】
0003637456.tif 000035
【図３５】
0003637456.tif 000036